【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
複数のミキサと、各ミキサは、直交信号および同相信号のうちの少なくとも１つを伝達するように構成される、
前記同相信号のうちの少なくとも１つがコサイン波と混合され、前記同相信号のうちの前記少なくとも１つの別の１つがサイン波と混合される点において、および、前記直交信号のうちの少なくとも１つがサイン波と混合され、前記直交信号のうちの前記少なくとも１つの別の１つがコサイン波と混合される点において、前記複数のミキサの各々の出力に結合され、回転された同相信号および回転された直交信号のうちの少なくとも１つを生成するために、前記直交信号および前記同相信号のうちの前記少なくとも１つのエンベロープをキャリア信号と無関係に回転するために構成された少なくとも１つのＲＦ位相回転器と
を備えるビームフォーミングのためのデバイス。
【請求項２】
前記複数のミキサは、４つのミキサである、請求項１に記載のデバイス。
【請求項３】
複数のフィルタをさらに備え、ここで、前記複数のフィルタの各フィルタは、前記複数のミキサのうちの２つのミキサに出力信号を供給する、請求項１に記載のデバイス。
【請求項４】
前記少なくとも１つのＲＦ位相回転器のうちのＲＦ位相回転器に出力信号を供給する複数のドライバ増幅器をさらに備える、請求項１に記載のデバイス。
【請求項５】
前記少なくとも１つのＲＦ位相回転器の各ＲＦ位相回転器は、アンテナ経路に関連付けられる、請求項１に記載のデバイス。
【請求項６】
前記少なくとも１つのＲＦ位相回転器の各ＲＦ位相回転器は、
複数の入力信号を受信するための第１の複数のスイッチと、
所望の象限を選択するために構成された第２の複数のスイッチと
を備える、請求項１に記載のデバイス。
【請求項７】
前記デバイスの出力において回転された信号を供給するための第３の複数のスイッチをさらに備える、請求項６に記載のデバイス。
【請求項８】
前記ＲＦ位相回転器は、前記第１の複数のスイッチに電流を供給する定電流ソースおよび可変電流ソースのうちの１つをさらに備える、請求項１に記載のデバイス。
【請求項９】
前記第１の複数のスイッチおよび前記第２の複数のスイッチの各スイッチは、トランジスタである、請求項６に記載のデバイス。
【請求項１０】
前記第１の複数のスイッチの各スイッチは、デジタル／アナログ変換器から入力信号を受信する、請求項６に記載のデバイス。
【請求項１１】
ＲＦ位相回転器において直交信号および同相信号のうちの少なくとも１つを受信することと、
前記同相信号のうちの少なくとも１つがコサイン波と混合され、前記同相信号のうちの前記少なくとも１つの別の１つがサイン波と混合される点において、および、前記直交信号のうちの少なくとも１つがサイン波と混合され、前記直交信号のうちの前記少なくとも１つの別の１つがコサイン波と混合される点において、回転された直交信号および回転された同相信号のうちの少なくとも１つを生成するために、前記直交信号および前記同相信号のうちの前記少なくとも１つのエンベロープをキャリア信号と無関係に回転することと
を備えるビームフォーミングのための方法。
【請求項１２】
所望の象限を選択するために、制御信号を１つまたは複数のスイッチに伝達することをさらに備える、請求項１１に記載の方法。
【請求項１３】
前記回転することは、前記ＲＦ位相回転器の電流ソースを変化させることを備える、請求項１１に記載の方法。
【請求項１４】
直交信号および前記同相信号のうちの前記少なくとも１つをベースバンドにダウンコンバートすることと、
回転された直交信号および前記回転された同相信号のうちの前記少なくとも１つを生成するために、ベースバンドで直交信号および前記同相信号のうちの前記少なくとも１つを回転することと、および、好ましくは、複数のスイッチのうちのスイッチに、ダウンコンバートされた直交信号およびダウンコンバートされた同相信号のうちの少なくとも１つを伝達することをさらに備えること
を備える請求項１１に記載の方法。
【請求項１５】
前記回転することは、前記回転された直交信号または前記回転された同相信号を備える１つまたは複数の出力信号を選択するために、複数のスイッチのうちの少なくとも１つのスイッチに制御信号を伝達することを備える、請求項１４に記載の方法。
【手続補正２】
【補正対象書類名】明細書
【補正対象項目名】００５１
【補正方法】変更
【補正の内容】
【００５１】
[0060]  開示された典型的な実施形態の上記説明は、いかなる当業者であっても、本発明の製造または使用を可能にするように提供される。これら典型的な実施形態への様々な修正は、当業者にとって容易に明らかであり、ここに定義された一般的な原理は、本発明の主旨または範囲から逸脱することなく、他の実施形態にも適用されうる。したがって、本発明は、ここに示された典型的な実施形態に限定されるようには意図されず、ここに開示される原理および新規な特徴と一致する最も広い範囲を与えられることとなる。
以下に、本願出願の当初の特許請求の範囲に記載された発明を付記する。
［Ｃ１］
複数のミキサと、各ミキサは、直交信号および同相信号のうちの少なくとも１つを伝達するように構成される、
前記複数のミキサの各々の出力に結合され、回転された同相信号および回転された直交信号のうちの少なくとも１つを生成するために、前記直交信号および前記同相信号のうちの前記少なくとも１つのエンベロープを回転するために構成された少なくとも１つのＲＦ位相回転器と
を備えるデバイス。
［Ｃ２］
前記複数のミキサは、４つのミキサを備える、Ｃ１に記載のデバイス。
［Ｃ３］
複数のフィルタをさらに備え、前記複数のフィルタの各フィルタは、前記複数のミキサのうちの２つのミキサに結合される、Ｃ１に記載のデバイス。
［Ｃ４］
前記少なくとも１つのＲＦ位相回転器のうちのＲＦ位相回転器に結合された複数のドライバ増幅器をさらに備える、Ｃ１に記載のデバイス。
［Ｃ５］
前記少なくとも１つの位相ＲＦ回転器の各ＲＦ位相回転器は、アンテナ経路に関連付けられる、Ｃ１に記載のデバイス。
［Ｃ６］
前記少なくとも１つの位相ＲＦ回転器の各ＲＦ位相回転器は、
複数の入力信号を受信するための第１の複数のスイッチと、
所望の象限を選択するために構成された第２の複数のスイッチと
を備える、Ｃ１に記載のデバイス。
［Ｃ７］
出力を生成するための第３の複数のスイッチをさらに備える、Ｃ６に記載のデバイス。
［Ｃ８］
複数のミキサと、各ミキサは、直交信号および同相信号のうちの少なくとも１つを受信するように構成される、
前記複数のミキサの各々の出力に結合され、回転された直交信号および回転された同相信号のうちの少なくとも１つを生成するために、前記直交信号および前記同相信号のうちの前記少なくとも１つのエンベロープを回転するために構成された少なくとも１つのＲＦ位相回転器と
を備え、
前記少なくとも１つの各ＲＦ位相回転器は、
複数の入力信号を受信するための第１の複数のスイッチと、
所望の象限を選択するために構成された第２の複数のスイッチと
を備える、デバイス。
［Ｃ９］
前記複数のミキサは、４つのミキサを備える、Ｃ８に記載のデバイス。
［Ｃ１０］
前記位相回転器は、前記第１の複数のスイッチに結合された定電流ソースおよび可変電流ソースのうちの１つをさらに備える、Ｃ８に記載のデバイス。
［Ｃ１１］
前記第１の複数のスイッチおよび前記第２の複数のスイッチの各スイッチは、トランジスタを備える、Ｃ８に記載のデバイス。
［Ｃ１２］
前記少なくとも１つの位相ＲＦ回転器の各ＲＦ位相回転器は、アンテナ経路に関連付けられる、Ｃ８に記載のデバイス。
［Ｃ１３］
前記第２の複数のスイッチの各スイッチは、デジタル／アナログ変換器に結合される、Ｃ８に記載のデバイス。
［Ｃ１４］
ＲＦ位相回転デバイスであって、
象限選択のために構成された複数のスイッチと、
複数の入力と、前記複数のスイッチの各スイッチは、前記複数の入力のうちの入力と複数の出力のうちの出力との間に結合される、
を備え、
前記位相回転デバイスは、直交信号および同相信号のうちの少なくとも１つのエンベロープを回転するために構成される、ＲＦ位相回転デバイス。
［Ｃ１５］
複数の入力信号を受信するための第２の複数のスイッチをさらに備える、Ｃ１４に記載のデバイス。
［Ｃ１６］
ＲＦ位相回転器において直交信号および同相信号のうちの少なくとも１つを受信することと、
回転された直交信号および回転された同相信号のうちの少なくとも１つを生成するために、前記直交信号および前記同相信号のうちの前記少なくとも１つのエンベロープを回転することと
を備える方法。
［Ｃ１７］
所望の象限を選択するために、制御信号を１つまたは複数のスイッチに伝達することをさらに備える、Ｃ１６に記載の方法。
［Ｃ１８］
前記回転することは、前記ＲＦ位相回転器を用いて電流ソースを変化させることを備える、Ｃ１６に記載の方法。
［Ｃ１９］
直交信号および同相信号のうちの少なくとも１つをベースバンドにダウンコンバートすることと、
回転された直交信号および回転された同相信号のうちの少なくとも１つを生成するために、ベースバンドで直交信号および同相信号のうちの前記少なくとも１つを回転することと
を備える方法。
［Ｃ２０］
前記回転することは、所望の象限を選択するために、複数のスイッチのうちの少なくとも１つのスイッチに信号を伝達することを備える、Ｃ１９に記載の方法。
［Ｃ２１］
複数のスイッチのうちのスイッチに、ダウンコンバートされた直交信号およびダウンコンバートされた同相信号のうちの少なくとも１つを伝達することをさらに備える、Ｃ１９に記載の方法。
［Ｃ２２］
前記回転することは、前記回転された直交信号または前記回転された同相信号を備える１つまたは複数の出力信号を選択するために、複数のスイッチのうちの少なくとも１つのスイッチに制御信号を伝達することを備える、Ｃ１９に記載の方法。
［Ｃ２３］
ＲＦ位相回転器において直交信号および同相信号のうちの少なくとも１つを受信するための手段と、
回転された直交信号および回転された同相信号のうちの少なくとも１つを生成するために、前記直交信号および前記同相信号のうちの前記少なくとも１つのエンベロープを回転するための手段と
を備えるデバイス。
［Ｃ２４］
直交信号および同相信号のうちの少なくとも１つをベースバンドにダウンコンバートするための手段と、
回転された直交信号および回転された同相信号のうちの少なくとも１つを生成するために、直交信号および同相信号のうちの前記少なくとも１つのエンベロープを回転するための手段と
を備えるデバイス。